(57)【要約】  【課題】  センシング情報を再送することなく、欠落した情報を復旧することのできる技術を提供すること。  【解決手段】  ヘルスケア機器１１０から、今回計測した計測値と、今回計測した計測値と前回計測した計測値との差分である相対値と、を情報管理サーバ１３０に送信する。  情報管理サーバ１３０では、前回受信した計測値に今回受信した相対値を加算して、今回受信した計測値と一致するか否かを判定し、一致しない場合には、今回受信した計測値から相対値を減算することにより、欠落した計測値を復旧することができるようにする。【選択図】図１
2010022520.tif 000002
【特許請求の範囲】
【請求項１】
計測機器で計測された計測値を管理する情報管理サーバであって、
前記計測情報に含まれる計測値を特定する情報を、前記計測情報の受信順序に対応付けて、蓄積情報として記憶する記憶部と、
ネットワークを介して、前記計測機器より、前記計測機器で計測された計測値を特定する情報と、当該計測値と前回計測された計測値との差分値である相対値を特定する情報と、を含む計測情報を、通信部を介して受信する処理、
前回受信した計測情報に含まれる計測値を前記蓄積情報より取得して、取得した計測値に今回受信した計測情報に含まれる相対値を加算した加算値と、今回受信した計測情報に含まれる計測値と、が一致するか否かを判断する処理、
前記加算値と、今回受信した計測情報に含まれる計測値と、が一致しない場合に、今回受信した計測情報に含まれる計測値から、今回受信した計測情報に含まれる相対値を減算した値を、今回受信した計測情報の一つ前の受信順序となるように、前記蓄積情報として前記記憶部に記憶させる処理、を行う制御部と、を備えること、
を特徴とする情報管理サーバ。
【請求項２】
請求項１に記載の情報管理サーバであって、
前記記憶部には、第一閾値を特定する情報と、前記計測機器を利用する利用者の連絡先である第一連絡先を特定する情報と、を対応付けた管理情報が記憶されており、
前記制御部は、前記計測情報に含まれる相対値が、前記第一閾値の範囲を超える場合には、前記第一閾値に対応付けられている第一連絡先に、通信部を介して警告するメッセージを送信すること、
を特徴とする情報管理サーバ。
【請求項３】
請求項２に記載の情報管理サーバであって、
前記管理情報には、前記第一閾値の範囲よりも広い第二閾値を特定する情報と、第三者の連絡先である第二連絡先を特定する情報と、が対応付けられており、
前記制御部は、前記計測情報に含まれる相対値が、前記第二閾値の範囲を超える場合には、前記第二閾値に対応付けられている第二連絡先に、通信部を介して警告するメッセージを送信すること、
を特徴とする情報管理サーバ。
【請求項４】
請求項１に記載の情報管理サーバであって、
前記計測機器は、利用者の身体に関する計測値を計測するものであること、
を特徴とする情報管理サーバ。
【請求項５】
コンピュータを、計測機器で計測された計測値を管理する情報管理サーバとして機能させるプログラムであって、
前記コンピュータを、
前記計測情報に含まれる計測値を特定する情報を、前記計測情報の受信順序に対応付けて、蓄積情報として記憶する記憶手段と、
ネットワークを介して、前記計測機器より、前記計測機器で計測された計測値を特定する情報と、当該計測値と前回計測された計測値との差分値である相対値を特定する情報と、を含む計測情報を、通信手段を介して受信する処理、
前回受信した計測情報に含まれる計測値を前記蓄積情報より取得して、取得した計測値に今回受信した計測情報に含まれる相対値を加算した加算値と、今回受信した計測情報に含まれる計測値と、が一致するか否かを判断する処理、
前記加算値と、今回受信した計測情報に含まれる計測値と、が一致しない場合に、今回受信した計測情報に含まれる計測値から、今回受信した計測情報に含まれる相対値を減算した値を、今回受信した計測情報の一つ前の受信順序となるように、前記蓄積情報として前記記憶手段に記憶させる処理、を行う制御手段と、
して機能させること、
を特徴とするプログラム。
【請求項６】
請求項５に記載のプログラムであって、
前記記憶手段に、第一閾値を特定する情報と、前記計測機器を利用する利用者の連絡先である第一連絡先を特定する情報と、を対応付けた管理情報を記憶させ、
前記制御手段に、前記計測情報に含まれる相対値が、前記第一閾値の範囲を超える場合には、前記第一閾値に対応付けられている第一連絡先に、通信手段を介して警告するメッセージを送信させること、
を特徴とするプログラム。
【請求項７】
請求項６に記載のプログラムであって、
前記管理情報には、前記第一閾値の範囲よりも広い第二閾値を特定する情報と、第三者の連絡先である第二連絡先を特定する情報と、が対応付けられており、
前記制御手段に、前記計測情報に含まれる相対値が、前記第二閾値の範囲を超える場合には、前記第二閾値に対応付けられている第二連絡先に、通信手段を介して警告するメッセージを送信させること、
を特徴とするプログラム。
【請求項８】
請求項５に記載のプログラムであって、
前記計測機器は、利用者の身体に関する計測値を計測するものであること、
を特徴とするプログラム。
【請求項９】
計測機器と、当該計測機器で計測された計測値を管理する情報管理サーバと、を備える通信システムであって、
前記計測機器は、
計測した計測値を記憶する記憶部と、
計測した計測値を特定する情報と、当該計測値と前回計測された計測値との差分値である相対値を特定する情報と、を含む計測情報を、前記情報管理サーバに送信する処理を行う主要機能部と、を備え、
前記情報管理サーバは、
前記計測情報に含まれる計測値を特定する情報を、前記計測情報の受信順序に対応付けて、蓄積情報として記憶する記憶部と、
ネットワークを介して、前記計測機器より前記計測情報を、通信部を介して受信する処理、
前回受信した計測情報に含まれる計測値を前記蓄積情報より取得して、取得した計測値に今回受信した計測情報に含まれる相対値を加算した加算値と、今回受信した計測情報に含まれる計測値と、が一致するか否かを判断する処理、
前記加算値と、今回受信した計測情報に含まれる計測値と、が一致しない場合に、今回受信した計測情報に含まれる計測値から、今回受信した計測情報に含まれる相対値を減算した値を、今回受信した計測情報の一つ前の受信順序となるように、前記蓄積情報として前記記憶部に記憶させる処理、を行う制御部と、を備えること、
を特徴とする通信システム。
【請求項１０】
請求項９に記載の通信システムであって、
前記情報管理サーバの記憶部には、第一閾値を特定する情報と、前記計測機器を利用する利用者の連絡先である第一連絡先を特定する情報と、を対応付けた管理情報が記憶されており、
前記情報管理サーバの制御部は、前記計測情報に含まれる相対値が、前記第一閾値の範囲を超える場合には、前記第一閾値に対応付けられている第一連絡先に、通信部を介して警告するメッセージを送信すること、
を特徴とする通信システム。
【請求項１１】
請求項１０に記載の通信システムであって、
前記計測機器より送信された計測情報を前記情報管理サーバに中継する中継装置をさらに備え、
前記情報管理サーバの制御部は、
前記計測情報に含まれる相対値が、前記第一閾値の範囲を超える場合には、前記計測情報に含まれる相対値を補正値として、前記中継装置に送信する処理、
前記第一閾値の範囲と越える相対値に対応する計測値を特定する情報を、前記蓄積情報としては前記記憶部に記憶させない処理、とを行い、
前記中継装置は、前記情報管理サーバより補正値を受信すると、前記計測機器より送信された次回の計測情報に含まれる相対値を前記補正値で補正すること、
を特徴とする通信システム。
【請求項１２】
請求項１０に記載の通信システムであって、
前記情報管理サーバの制御部は、
前記計測情報に含まれる相対値が、前記第一閾値の範囲を超える場合には、前記計測情報に含まれる相対値を補正値として、前記計測機器に送信する処理、
前記第一閾値の範囲と越える相対値に対応する計測値を特定する情報を、前記蓄積情報としては前記記憶部に記憶させない処理、とを行い、
前記計測機器の主要機能部は、前記情報管理サーバより補正値を受信すると、次回の計測により計測された計測値に対応する相対値を前記補正値で補正すること、
を特徴とする通信システム。
【請求項１３】
請求項１０に記載の通信システムであって、
前記管理情報には、前記第一閾値の範囲よりも広い第二閾値を特定する情報と、第三者の連絡先である第二連絡先を特定する情報と、が対応付けられており、
前記情報管理サーバの制御部は、前記計測情報に含まれる相対値が、前記第二閾値の範囲を超える場合には、前記第二閾値に対応付けられている第二連絡先に、通信部を介して警告するメッセージを送信すること、
を特徴とする通信システム。
【請求項１４】
請求項９に記載の通信システムであって、
前記計測機器は、利用者の身体に関する計測値を計測するものであること、
を特徴とする通信システム。
【請求項１５】
計測機器で計測された計測値を管理する情報管理サーバが行う情報管理方法であって、
前記情報管理サーバは、前記計測情報に含まれる計測値を特定する情報を、前記計測情報の受信順序に対応付けて、蓄積情報として記憶する記憶部と、制御部と、を備え、
前記制御部が、ネットワークを介して、前記計測機器より、前記計測機器で計測された計測値を特定する情報と、当該計測値と前回計測された計測値との差分値である相対値を特定する情報と、を含む計測情報を、通信部を介して受信する処理を行う過程と、
前記制御部が、前回受信した計測情報に含まれる計測値を前記蓄積情報より取得して、取得した計測値に今回受信した計測情報に含まれる相対値を加算した加算値と、今回受信した計測情報に含まれる計測値と、が一致するか否かを判断する処理を行う過程と、
前記制御部が、前記加算値と、今回受信した計測情報に含まれる計測値と、が一致しない場合に、今回受信した計測情報に含まれる計測値から、今回受信した計測情報に含まれる相対値を減算した値を、今回受信した計測情報の一つ前の受信順序となるように、前記蓄積情報として前記記憶部に記憶させる処理を行う過程と、を備えること、
を特徴とする情報管理方法。
【発明の詳細な説明】
【技術分野】
【０００１】
本発明は、計測機器で計測された計測値を管理する技術に関する。
【背景技術】
【０００２】
温度センサ、湿度センサ、照度センサ、人感センサ、バイタルセンサ等の各種センシング機器を用いた環境モニタリング、宅内セキュリティ、ヘルスケア等のセンサネットワークサービスが提供されている。
【０００３】
そのようなセンサネットワークサービスで使用される各種センシング機器が計測したセンシング情報は、ネットワークを経由して遠隔地にあるサーバへ送信されるのが一般的である。
【０００４】
そして、各種センシング機器において計測された情報が、ネットワークにおいて欠落したような場合に備えて、例えば、特許文献１に記載の技術では、センシング情報を確実に伝送できたことを確認するまで全てのデータをゲートウェイ内に保存しておくようにしている。また、特許文献２に記載の技術では、センシング情報をセンタサーバに伝送できなかった場合に、センサ内にセンシング情報を蓄積し、センタサーバと通信可能であると判断された場合に、センサ内に蓄積されたセンシング情報を順に送信するようにしている。
【０００５】
【特許文献１】特開２００３−１４３２３７号公報
【特許文献２】特開２００７−１８４７５４号公報
【発明の開示】
【発明が解決しようとする課題】
【０００６】
特許文献１に記載のように、ゲートウェイ内にセンサ情報をバッファリングする技術では、センシング機器とゲートウェイとの間の通信路でセンシング情報が欠落したような場合に、センシング情報を復旧することはできない。
【０００７】
また、特許文献２に記載のように、センサ内にセンシング情報をバッファリングする技術では、センサの電源が切断されている場合や通信環境が悪い場合等のように、センシング情報を送信することができないようなときには、センサのメモリに蓄積するセンシング情報が膨大となり、センシング情報がセンサのメモリ容量を越えると、センシング情報が欠落してしまう。
【０００８】
そこで、本発明は、センシング情報を再送することなく、欠落した情報を復旧することのできる技術を提供することを目的とする。
【課題を解決するための手段】
【０００９】
以上の課題を解決するため、本発明は、計測機器から今回計測した計測値と、今回計測した計測値と前回計測した計測値との差分である相対値と、を情報管理サーバに送信し、情報管理サーバで、今回計測した計測値から相対値を減算することで、欠落した情報を復旧することができるようにしている。
【００１０】
例えば、本発明は、計測機器で計測された計測値を管理する情報管理サーバであって、前記計測情報に含まれる計測値を特定する情報を、前記計測情報の受信順序に対応付けて、蓄積情報として記憶する記憶部と、ネットワークを介して、前記計測機器より、前記計測機器で計測された計測値を特定する情報と、当該計測値と前回計測された計測値との差分値である相対値を特定する情報と、を含む計測情報を、通信部を介して受信する処理、前回受信した計測情報に含まれる計測値を前記蓄積情報より取得して、取得した計測値に今回受信した計測情報に含まれる相対値を加算した加算値と、今回受信した計測情報に含まれる計測値と、が一致するか否かを判断する処理、前記加算値と、今回受信した計測情報に含まれる計測値と、が一致しない場合に、今回受信した計測情報に含まれる計測値から、今回受信した計測情報に含まれる相対値を減算した値を、今回受信した計測情報の一つ前の受信順序となるように、前記蓄積情報として前記記憶部に記憶させる処理、を行う制御部と、を備えること、を特徴とする。
【発明の効果】
【００１１】
以上のように、本発明によれば、センシング情報を再送することなく、欠落した情報を復旧することのできる技術を提供することができる。
【発明を実施するための最良の形態】
【００１２】
図１は、本発明の第一の実施形態である通信システム１００の概略図である。
【００１３】
図示するように、通信システム１００は、利用者に関する計測値を計測する計測機器であるヘルスケア機器１１０Ａ〜１１０Ｃ（以下、各々を特に区別しない場合には、ヘルスケア機器１１０という）と、中継装置１２０と、情報管理サーバ１３０と、医療機関側装置１５０と、利用者側装置１６０と、携帯端末１７０と、を備える。
【００１４】
そして、ヘルスケア機器１１０は、中継装置１２０を介して第一ネットワーク１８０に接続することができるようにされており、情報管理サーバ１３０，医療機関側装置１５０及び利用者側装置１６０は、第一ネットワーク１８０を介して情報の送受信が可能にされており、情報管理サーバ１３０及び携帯端末１７０は、第二ネットワーク１８１を介して情報の送受信が可能にされている。
【００１５】
ここで、本実施形態においては、第一ネットワーク１８０はＩＰ（Internet Protocol）網、第二ネットワーク１８１は携帯電話網を用いているが、このような態様に限定されず、情報を送受信することのできるネットワークであればどのような態様のものであってもよい。
【００１６】
図２は、ヘルスケア機器１１０の概略図である。
【００１７】
図示するように、ヘルスケア機器１１０は、ホスト機器１１１と、通信部１１４と、電源供給部１１５と、を備える。
【００１８】
ホスト機器１１１は、センシングの対象に対してセンシングを行い、当該センシングにより計測された値から計測値を生成する。
【００１９】
例えば、本実施形態においては、ヘルスケア機器１１０Ａは、血圧計であり、ヘルスケア機器１１０Ａのホスト機器１１１は、血圧を計測し、計測した血圧値を計測値として生成する。
【００２０】
また、ヘルスケア機器１１０Ｂは、血糖値計であり、ヘルスケア機器１１０Ｂのホスト機器１１１は、血糖値を計測し、計測した血糖値を計測値として生成する。
【００２１】
さらに、ヘルスケア機器１１０Ｃは、採尿器であり、ヘルスケア機器１１０Ｃのホスト機器１１１は、排尿量を計測し、計測した排尿量を計測値として生成する。
【００２２】
図示するように、ホスト機器１１１は、主要機能部１１２と、記憶部１１３と、を備える。
【００２３】
主要機能部１１２は、各々のヘルスケア機器１１０Ａ〜１１０Ｃにおけるセンシングを制御し、当該センシングにより計測された値から計測値を生成する処理を制御する。
【００２４】
さらに、主要機能部１１２は、センシングにより計測された計測値から、前回のセンシングにより計測された計測値（記憶部１１３に記憶されている計測値）を差し引いた差分値から相対値を生成する。
【００２５】
そして、主要機能部１１２は、センシングにより計測された計測値と、当該相対値と、を含む計測情報を生成して、後述する通信部１１４を介して、生成した計測情報を情報管理サーバ１３０に送信する処理を行う。
【００２６】
また、主要機能部１１２は、生成した計測値を特定する情報を記憶部１１３に記憶する処理を行う。
【００２７】
記憶部１１３は、ヘルスケア機器１１０での処理に必要な情報を記憶する。特に、本実施形態においては、主要機能部１１２で生成された計測値を特定する情報を記憶する。
【００２８】
通信部１１４は、中継装置１２０との間で、情報を送受信する。本実施形態では、通信部１１４は、アンテナ１１６を介して、中継装置１２０との間で無線による情報の送受信を行っているが、このような態様に限定されず、有線による情報の送受信を行うようにしてもよい。
【００２９】
電源供給部１１５は、ホスト機器１１１、通信部１１４及びアンテナ１１６に電源を供給するＡＣ電源、ＤＣ電源、電池等である。
【００３０】
なお、ヘルスケア機器１１０の構成は、以上のような構成に限定されず、例えば、ホスト機器１１１内に電源供給部１１５が含まれていてもよく、また、電源供給部１１５と通信部１１４とが一つのユニットになっていてもよい。さらに、ホスト機器１１１と、通信部１１４と、が別々に電源供給部１１５を有していてもよく、ホスト機器１１１と、通信部１１４と、が別々の筐体に分かれていてもよい。
【００３１】
図３は、中継装置１２０の概略図である。
【００３２】
図示するように、中継装置１２０は、記憶部１２１と、制御部１２２と、第一通信部１２４と、第二通信部１２５と、電源供給部１２６と、を備える。
【００３３】
記憶部１２１には、中継装置１２０で処理を行うために必要な情報が記憶される。
【００３４】
制御部１２２は、主要機能部１２３を有する。
【００３５】
主要機能部１２３は、中継装置１２０における全体的な処理を制御する。特に、本実施形態においては、ヘルスケア機器１１０から送信されてきた計測情報に、中継装置１２０各々に割り振られた識別情報である中継装置ＩＤを付加して、情報管理サーバ１３０に送信する処理を行う。
【００３６】
例えば、図４（Ａ）は、ヘルスケア機器１１０から送信されてくる計測情報の概略図であり、図４（Ｂ）は、中継装置１２０から情報管理サーバ１３０に送信する計測情報の概略図である。
【００３７】
ここで、図４（Ａ）に示されているように、ヘルスケア機器１１０からは、宛先である情報管理サーバ１３０を識別するための識別情報である宛先ＩＤと、ヘルスケア機器１１０を識別するための識別情報である送信元ＩＤと、ヘルスケア機器１１０で計測された計測値と、ヘルスケア機器１１０で算出された相対値と、がＩＰパケットのペイロード部分に含まれているが、図４（Ｂ）に示されているように、主要機能部１２３は、中継装置１２０を識別するための識別情報である中継装置ＩＤをペイロード部分に追加する。
【００３８】
第一通信部１２４は、ヘルスケア機器１１０との間で情報を送受信する。ここで、本実施形態では、第一通信部１２４は、アンテナ１２７を介して、ヘルスケア機器１１０との間で無線による情報の送受信を行っているが、このような態様に限定されず、有線による情報の送受信を行うようにしてもよい。
【００３９】
第二通信部１２５は、第一ネットワーク１８０を介した情報の送受信を行う。
【００４０】
電源供給部１２６は、記憶部１２１、制御部１２２、第一通信部１２４、第二通信部１２５及びアンテナ１２７に電源を供給するＡＣ電源、ＤＣ電源、電池等である。
【００４１】
図５は、情報管理サーバ１３０の概略図である。
【００４２】
図示するように、情報管理サーバ１３０は、記憶部１３１と、制御部１３６と、第一通信部１４０と、第二通信部１４１と、を備える。
【００４３】
記憶部１３１は、管理情報記憶領域１３２と、閾値情報記憶領域１３３と、利用者情報記憶領域１３４と、蓄積情報記憶領域１３５と、を備える。
【００４４】
管理情報記憶領域１３２には、各ヘルスケア機器１１０から送信されてくる計測値を管理するための情報が格納される。
【００４５】
例えば、本実施形態においては、図６（管理テーブル１３２ａの概略図）に示すような管理テーブル１３２ａが管理情報記憶領域１３２に記憶される。
【００４６】
管理テーブル１３２ａは、機器ＩＤ欄１３２ｂと、アプリ欄１３２ｃと、中継装置欄１３２ｄと、第一閾値欄１３２ｅと、第二閾値欄１３２ｆと、第一連絡先欄１３２ｇと、第二連絡先欄１３２ｈと、を有する。
【００４７】
機器ＩＤ欄１３２ｂには、各々のヘルスケア機器１１０を識別するための識別情報である機器ＩＤを特定する情報が格納される。
【００４８】
アプリ欄１３２ｃには、各々のヘルスケア機器１１０から送られてくる計測値を処理するアプリケーションを識別するための識別情報であるアプリＩＤを特定する情報が格納される。
【００４９】
中継装置欄１３２ｄには、各々のヘルスケア機器１１０が情報を送信するために接続した中継装置１２０を識別するための識別情報である中継装置ＩＤを特定する情報が格納される。
【００５０】
第一閾値欄１３２ｅには、各々のヘルスケア機器１１０から送られてくる相対値を判別するための第一閾値を特定する情報が格納される。
【００５１】
ここで、第一閾値は、各々のヘルスケア機器１１０から送られてくる計測値が、他人二より計測されたものや誤作動により計測されたものであることを判別するためのものである。即ち、第一閾値は、通常の利用者より計測された値に対して予め定められた範囲を超えた値が計測された場合において、通常の利用者（利用者情報記憶領域１３４に記憶されている利用者）に再計測を要求するための警告を発する閾値である。
【００５２】
第二閾値欄１３２ｆには、各々のヘルスケア機器１１０から送られてくる相対値を判別するための第二閾値を特定する情報が格納される。
【００５３】
ここで、第二閾値は、各々のヘルスケア機器１１０から送られてくる計測値が、通常の利用者（利用者情報記憶領域１３４に記憶されている利用者）の身体に深刻な影響を与えるものであることを判別するためのものである。即ち、第二閾値は、通常の利用者より計測された値が通常取り得る範囲を超えた値が計測された場合において、医療機関に対して警告を発するための閾値である。
【００５４】
なお、第二閾値は、第一閾値をその範囲に含むような値とする。
【００５５】
第一連絡先欄１３２ｇには、各々のヘルスケア機器１１０から送られてくる相対値が、第一閾値欄１３２ｅで特定される第一閾値を越えた場合に、通常の利用者（利用者情報記憶領域１３４に記憶されている利用者）に警告を発する連絡先を特定する情報が格納される。
【００５６】
ここで、本実施形態においては、通常の利用者（利用者情報記憶領域１３４に記憶されている利用者）が有する携帯端末１７０のメールアドレスを特定する情報が格納される。
【００５７】
第二連絡先欄１３２ｈには、各々のヘルスケア機器１１０から送られてくる相対値が、第二閾値欄１３２ｅで特定される第二閾値を越えた場合に、医療機関等の第三者に警告を発する連絡先を特定する情報が格納される。
【００５８】
ここで、本実施形態においては、予め定められた医療機関に設置されている医療機関側装置１５０の電話番号を特定する情報が格納される。
【００５９】
なお、管理テーブル１３２ａの各々のレコードは、後述する利用者側装置１６０において入力された情報に基づいて生成される。
【００６０】
図５に戻り、閾値情報記憶領域１３３には、アプリケーション毎に、第一閾値及び第二閾値を特定する情報が格納される。
【００６１】
例えば、本実施形態においては、図７（閾値テーブル１３３ａの概略図）に示すような閾値テーブル１３３ａが閾値情報記憶領域１３３に記憶される。
【００６２】
閾値テーブル１３３ａは、アプリ欄１３３ｂと、第一閾値欄１３３ｃと、第二閾値欄１３３ｄと、を有する。
【００６３】
アプリ欄１３３ｂには、各々のヘルスケア機器１１０から送られてくる計測値を処理するアプリケーションを識別するための識別情報であるアプリＩＤを特定する情報が格納される。
【００６４】
第一閾値欄１３３ｃには、アプリ欄１３３ｂで特定されるアプリケーションが処理する計測値に対応した第一閾値を特定する情報が格納される。
【００６５】
例えば、利用者が通常の状態において、取り得る計測値の範囲を予め実験等により定めておき、このような範囲が含まれるように第一閾値を定めておく。
【００６６】
第二閾値欄１３３ｄには、アプリ欄１３３ｂで特定されるアプリケーションが処理する計測値に対応した第二閾値を特定する情報が格納される。
【００６７】
例えば、利用者の身体に重大な影響を及ぼすと考えられる計測値の範囲を予め実験等により定めておき、このような範囲が含まれるように第二閾値を定めておく。
【００６８】
図５に戻り、利用者情報記憶領域１３４には、各々のヘルスケア機器１１０毎に、当該ヘルスケア機器１１０の利用者を特定する情報が格納される。
【００６９】
例えば、本実施形態においては、図８（利用者テーブル１３４ａの概略図）に示すような利用者テーブル１３４ａが、利用者情報記憶領域１３４に記憶される。
【００７０】
利用者テーブル１３４ａは、機器ＩＤ欄１３４ｂと、氏名欄１３４ｃと、年齢欄１３４ｄと、住所欄１３４ｅと、を有する。
【００７１】
機器ＩＤ欄１３４ｂには、各々のヘルスケア機器１１０を識別するための識別情報である機器ＩＤを特定する情報が格納される。
【００７２】
氏名欄１３４ｃには、機器ＩＤ欄１３４ｂで特定されるヘルスケア機器１１０を利用する利用者の氏名を特定する情報が格納される。
【００７３】
年齢欄１３４ｄには、機器ＩＤ欄１３４ｂで特定されるヘルスケア機器１１０を利用する利用者の年齢を特定する情報が格納される。
【００７４】
住所欄１３４ｅには、機器ＩＤ欄１３４ｂで特定されるヘルスケア機器１１０を利用する利用者の住所を特定する情報が格納される。
【００７５】
蓄積情報記憶領域１３５には、各々のヘルスケア機器１１０毎に、当該ヘルスケア機器１１０で計測された計測値が記憶される。
【００７６】
例えば、本実施形態においては、図９（蓄積テーブル１３５ａの概略図）に示すような蓄積テーブル１３５ａが、各々のヘルスケア機器１１０毎に蓄積情報記憶領域１３５に記憶される。
【００７７】
蓄積テーブル１３５ａは、番号欄１３５ｂと、計測値欄１３５ｃと、を有する。
【００７８】
番号欄１３５ｂには、後述する計測値欄１３５ｃに格納される計測値が計測された順番を特定する情報（上方のレコードから連番となる正の整数）が格納される。
【００７９】
計測値欄１３５ｃには、ヘルスケア機器１１０から送信されてきた計測値を特定する情報が格納される。
【００８０】
図５に戻り、制御部１３６は、全体制御部１３７と、情報管理部１３８と、通知処理部１３９と、を備える。
【００８１】
全体制御部１３７は、情報管理サーバ１３０における処理の全体を制御する。
【００８２】
情報管理部１３８は、ヘルスケア機器１１０から送信されてきた計測情報を処理し、記憶部１３１に記憶される情報を管理する。
【００８３】
通知処理部１３９は、各々のヘルスケア機器１１０から送られてくる相対値が第一閾値又は第二閾値を越えた場合に、第一連絡先又は第二連絡先に通知する処理を制御する。
【００８４】
例えば、通知処理部１３９は、各々のヘルスケア機器１１０から送られてくる相対値が第一閾値を越えた場合に、再度の計測を要求するメッセージを含むメール文書を作成し、第一連絡先のメールアドレスに第二通信部１４１を介して送信する処理を行う。
【００８５】
また、通知処理部１３９は、各々のヘルスケア機器１１０から送られてくる相対値が第二閾値を越えた場合に、ヘルスケア機器１１０の利用者を利用者情報記憶領域１３４に記憶されている利用者テーブル１３４ａより特定して、特定した利用者の氏名及び住所と、ヘルスケア機器１１０から送られてきた計測値と、を少なくとも特定した警告メッセージの音声データを生成して、第二連絡先に電話をかけて生成した音声データを再生する処理を行う。
【００８６】
第一通信部１４０は、第一ネットワーク１８０を介した情報の送受信を行う。
【００８７】
第二通信部１４１は、第二ネットワーク１８１を介した情報の送受信を行う。
【００８８】
以上に記載した情報管理サーバ１３０は、例えば、図１０（コンピュータ９００の概略図）に示すような、ＣＰＵ（Central Processing Unit）９０１と、メモリ９０２と、ＨＤＤ（Hard Disk Drive）等の外部記憶装置９０３と、ＣＤ−ＲＯＭ（Compact Disk Read Only Memory）やＤＶＤ−ＲＯＭ（Digital Versatile Disk Read Only Memory）等の可搬性を有する記憶媒体９０４に対して情報を読み書きする読書装置９０５と、キーボードやマウスなどの入力装置９０６と、ディスプレイなどの出力装置９０７と、通信ネットワークに接続するためのＮＩＣ（Network Interface Card）等の第一通信装置９０８と、電話線ネットワークに接続するためのモデム等の第二通信装置９０９と、を備えた一般的なコンピュータ９００で実現できる。
【００８９】
例えば、記憶部１３１は、ＣＰＵ９０１がメモリ９０２又は外部記憶装置９０３を利用することにより実現可能であり、制御部１３６は、外部記憶装置９０３に記憶されている所定のプログラムをメモリ９０２にロードしてＣＰＵ９０１で実行することで実現可能であり、第一通信部１４０は、ＣＰＵ９０１が第一通信装置９０８を利用することで実現可能であり、第二通信部１４１は、ＣＰＵ９０１が第二通信装置９０９を利用することで実現可能である。
【００９０】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、第一通信装置９０８を介してネットワークから、メモリ９０２上に直接ロードされ、ＣＰＵ９０１により実行されるようにしてもよい。
【００９１】
医療機関側装置１５０は、図示していないが、制御部と、記憶部と、通信部と、通知部と、を備える。
【００９２】
そして、医療機関側装置１５０の制御部は、情報管理サーバ１３０からの電話に応答し、情報管理サーバ１３０より出力される音声メッセージを通知部から出力する処理を行う。
【００９３】
なお、医療機関側装置１５０についても、例えば、図１０に示すような、一般的なコンピュータ９００で実現できる。
【００９４】
例えば、記憶部は、ＣＰＵ９０１がメモリ９０２又は外部記憶装置９０３を利用することにより実現可能であり、制御部は、外部記憶装置９０３に記憶されている所定のプログラムをメモリ９０２にロードしてＣＰＵ９０１で実行することで実現可能であり、通信部は、ＣＰＵ９０１が第一通信装置９０８を利用することで実現可能であり、通知部は、ＣＰＵ９０１がスピーカ（図示せず）を利用することで実現可能である。
【００９５】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、第一通信装置９０８を介してネットワークから、メモリ９０２上に直接ロードされ、ＣＰＵ９０１により実行されるようにしてもよい。
【００９６】
また、利用者側装置１６０は、図示していないが、制御部と、記憶部と、通信部と、入力部と、出力部と、を備える。
【００９７】
そして利用者側装置１６０の制御部は、出力部及び入力部を介して、ヘルスケア機器１１０の利用者の利用者に関連する情報の入力を受け付け、通信部を介して、入力された情報を情報管理サーバ１３０に送信する処理を行う。
【００９８】
ここで、利用者側装置１６０についても、例えば、図１０に示すような、一般的なコンピュータ９００で実現できる。
【００９９】
例えば、記憶部は、ＣＰＵ９０１がメモリ９０２又は外部記憶装置９０３を利用することにより実現可能であり、制御部は、外部記憶装置９０３に記憶されている所定のプログラムをメモリ９０２にロードしてＣＰＵ９０１で実行することで実現可能であり、入力部は、ＣＰＵ９０１が入力装置９０６を利用することで実現可能であり、出力部は、ＣＰＵ９０１が出力装置９０７を利用することで実現可能であり、通信部は、ＣＰＵ９０１が第一通信装置９０８を利用することで実現可能である。
【０１００】
この所定のプログラムは、読書装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読書装置９０５を介して記憶媒体９０４から、あるいは、第一通信装置９０８を介してネットワークから、メモリ９０２上に直接ロードされ、ＣＰＵ９０１により実行されるようにしてもよい。
【０１０１】
携帯端末１７０は、記憶部と、制御部と、入力部と、出力部と、無線通信部と、を備える。ここで、本実施形態においては、携帯端末１７０は、文字情報（メール）を通信可能な携帯電話端末を利用しているが、このような態様に限定されるわけではない。
【０１０２】
そして、携帯端末１７０の制御部は、無線通信部を介して、情報管理サーバ１３０より文字情報（メール）を受信し、出力部に出力する処理を行う。
【０１０３】
図１１は、情報管理サーバ１３０にヘルスケア機器１１０の利用者に関連する情報を登録する処理を示すシーケンスである。
【０１０４】
ここで、ヘルスケア機器１１０の利用者は、利用者側装置１６０を用いて情報管理サーバ１３０に情報を送信するものとする。
【０１０５】
まず、利用者側装置１６０の制御部は、入力部を介して、ヘルスケア機器１１０の利用者より、利用者の登録要求の入力を受け付ける（Ｓ１０）。
【０１０６】
そして、利用者側装置１６０の制御部は、利用者の登録要求の入力を受け付けると、新規登録要求を情報管理サーバに送信する（Ｓ１１）。
【０１０７】
このような新規登録要求を受信した情報管理サーバ１３０では、情報管理部１３８が、利用者の登録処理を開始する（Ｓ１２）。
【０１０８】
例えば、本実施形態においては、情報管理部１３８は、第一通信部１４０を介して、ヘルスケア機器１１０の利用者より必要な情報の入力を受け付けるための登録フォームを利用者側装置１６０に送信し、利用者側装置１６０から必要な情報が送信されてくるまで待機する。
【０１０９】
登録フォームを受信した利用者側装置１６０では、制御部が、登録フォームを出力部に出力し、出力した登録フォームに従って、ヘルスケア機器１１０の利用者より、必要な情報の入力を受け付ける。
【０１１０】
例えば、利用者側装置１６０の制御部は、入力部を介して、利用者が利用するヘルスケア機器１１０を識別するための機器ＩＤの入力を受け付ける（Ｓ１４）。
【０１１１】
そして、利用者側装置１６０の制御部は、通信部を介して、入力を受け付けた機器ＩＤを情報管理サーバ１３０に送信する（Ｓ１５）。
【０１１２】
機器ＩＤを受信した情報管理サーバ１３０では、情報管理部１３８が、当該機器ＩＤを記憶部１３１に記憶する（Ｓ１６）。
【０１１３】
具体的には、情報管理部１３８は、管理テーブル１３２ａに新たなレコードを作成して、作成したレコードの機器ＩＤ欄１３２ｂに、受信した機器ＩＤを特定する情報を格納する。
【０１１４】
また、情報管理部１３８は、利用者テーブル１３４ａに新たなレコードを作成して、作成したレコードの機器ＩＤ欄１３４ｂに、受信した機器ＩＤを特定する情報を格納する。
【０１１５】
さらに、情報管理部１３８は、受信した機器ＩＤに対応させて、蓄積情報記憶領域１３５に新たな蓄積テーブル１３５ａを生成する。
【０１１６】
次に、利用者側装置１６０の制御部は、入力部を介して、ヘルスケア機器１１０を利用する利用者の利用者情報の入力を受け付ける（Ｓ１７）。
【０１１７】
ここで、利用者情報は、ヘルスケア機器１１０を利用する利用者を識別することのできる情報、例えば、利用者の氏名、年齢及び住所を含むものとする。
【０１１８】
そして、利用者側装置１６０の制御部は、通信部を介して、入力を受け付けた利用者情報を情報管理サーバ１３０に送信する（Ｓ１８）。
【０１１９】
利用者情報を受信した情報管理サーバ１３０では、情報管理部１３８が、当該利用者情報を利用者テーブル１３４ａに格納する（Ｓ１９）。
【０１２０】
具体的には、情報管理部１３８は、ステップＳ１６において、利用者テーブル１３４ａに新たに作成されたレコードの、氏名欄１３４ｃ、年齢欄１３４ｄ、住所欄１３４ｅに、利用者情報に含まれる氏名、年齢及び住所を特定する情報をそれぞれ格納する。
【０１２１】
次に、利用者側装置１６０の制御部は、入力部を介して、ヘルスケア機器１１０で計測された計測値を利用するアプリケーションを識別するためのアプリＩＤの入力を受け付ける（Ｓ２０）。
【０１２２】
そして、利用者側装置１６０の制御部は、通信部を介して、入力を受け付けたアプリＩＤを情報管理サーバ１３０に送信する（Ｓ２１）。
【０１２３】
アプリＩＤを受信した情報管理サーバ１３０では、情報管理部１３８が、当該アプリＩＤを管理テーブル１３２ａに格納するとともに、当該アプリＩＤに対応する第一閾値及び第二閾値を管理テーブル１３２ａに格納する（Ｓ２２）。
【０１２４】
具体的には、情報管理部１３８は、ステップＳ１６において、管理テーブル１３２ａに新たに作成されたレコードの、アプリ欄１３２ｃに受信したアプリＩＤを特定する情報を格納する。
【０１２５】
また、情報管理部１３８は、閾値テーブル１３３ａより、アプリ欄１３３ｂに受信したアプリＩＤを特定する情報が格納されているレコードを特定し、特定したレコードの第一閾値欄１３３ｃ及び第二閾値欄１３３ｄに格納されている第一閾値を特定する情報及び第二閾値を特定する情報を抽出し、抽出した情報を、ステップＳ１６において管理テーブル１３２ａに新たに作成されたレコードの第一閾値欄１３２ｅ及び第二閾値欄１３２ｆにそれぞれ格納する。
【０１２６】
次に、利用者側装置１６０の制御部は、入力部を介して、ヘルスケア機器１１０を利用する利用者の第一連絡先の入力を受け付ける（Ｓ２３）。
【０１２７】
ここで、本実施形態においては、第一連絡先として、制御部は、ヘルスケア機器１１０を利用する利用者が所有する携帯端末１７０のメールアドレスの入力を受け付けるものとする。
【０１２８】
そして、利用者側装置１６０の制御部は、通信部を介して、入力を受け付けた第一連絡先を特定する情報を情報管理サーバ１３０に送信する（Ｓ２４）。
【０１２９】
第一連絡先を特定する情報を受信した情報管理サーバ１３０では、情報管理部１３８が、当該第一連絡先を特定する情報を管理テーブル１３２ａに格納する（Ｓ２５）。
【０１３０】
具体的には、情報管理部１３８は、ステップＳ１６において、管理テーブル１３２ａに新たに作成されたレコードの第一連絡先欄１３２ｇに、第一連絡先を特定する情報を格納する。
【０１３１】
次に、利用者側装置１６０の制御部は、入力部を介して、ヘルスケア機器１１０を利用する利用者の第二連絡先の入力を受け付ける（Ｓ２６）。
【０１３２】
ここで、本実施形態においては、第二連絡先として、制御部は、ヘルスケア機器１１０を利用する利用者が利用する医療機関又は当該医療機関の担当医の電話番号の入力を受け付けるものとする。
【０１３３】
そして、利用者側装置１６０の制御部は、通信部を介して、入力を受け付けた第二連絡先を特定する情報を情報管理サーバ１３０に送信する（Ｓ２７）。
【０１３４】
第二連絡先を特定する情報を受信した情報管理サーバ１３０では、情報管理部１３８が、当該第二連絡先を特定する情報を管理テーブル１３２ａに格納する（Ｓ２８）。
【０１３５】
具体的には、情報管理部１３８は、ステップＳ１６において、管理テーブル１３２ａに新たに作成されたレコードの第二連絡先欄１３２ｆに、第二連絡先を特定する情報を格納する。
【０１３６】
そして、情報管理サーバ１３０の情報管理部１３９は、必要な情報の入力が完了したことを示す登録完了通知を利用者側装置１６０に送信する（Ｓ２９）。
【０１３７】
このような登録完了通知を受信した利用者側装置１６０では、制御部が、出力部に出力した登録フォームを終了する等により、利用者からの情報の入力を受け付ける処理を終了する（Ｓ３０）。
【０１３８】
図１２は、ヘルスケア機器１１０より情報管理サーバ１３０に計測情報を送信する処理を示すシーケンスである。
【０１３９】
まず、ヘルスケア機器１１０の主要機能部１１２は、センシングを行い、計測値を取得する（Ｓ４０）。
【０１４０】
次に、主要機能部１１２は、記憶部１１３に記憶されている計測値（前回のセンシングで計測された計測値）を取得し、ステップＳ４０で取得した計測値から記憶部１１３に記憶されている計測値を差し引くことで、相対値を算出する（Ｓ４１）。
【０１４１】
次に、主要機能部１１２は、記憶部１１３にステップＳ４０で取得した計測値を記憶する（Ｓ４２）。
【０１４２】
そして、主要機能部１１２は、宛先である情報管理サーバ１３０を識別するための識別情報である情報管理サーバＩＤ（宛先ＩＤ）と、送信元であるヘルスケア機器１１０を識別するための識別情報である機器ＩＤ（送信元ＩＤ）と、ステップＳ４０で取得した計測値と、ステップＳ４１で算出した相対値と、をペイロード部分に含むＩＰパケット（図４（Ａ）参照）を生成し（Ｓ４３）、通信部１１４を介して、計測情報として情報管理サーバ１３０に送信する（Ｓ４４）。
【０１４３】
中継装置１２０は、第一通信部１２４を介して、計測情報を受信し（Ｓ４５）、受信した計測情報のペイロード部分に中継装置１２０を識別するための中継装置ＩＤを追加すること（図４（Ｂ）参照）により計測情報を変更し（Ｓ４６）、変更した計測情報を、第二通信部１２５を介して、情報管理サーバ１３０に送信する（Ｓ４７）。
【０１４４】
情報管理サーバ１３０では、第一通信部１４０を介して、計測情報を受信し（Ｓ４８）、情報管理部１３８が受信した計測情報の解析処理を行う（Ｓ４９）。なお、ステップＳ４９での解析処理については、図１３を用いて詳細に説明する。
【０１４５】
図１３は、計測情報の解析処理を示すフローチャートである。
【０１４６】
まず、情報管理部１３８は、第一通信部１４０を介して受信した計測情報を取得する（Ｓ５０）。
【０１４７】
次に、情報管理部１３８は、ステップＳ５０で取得した計測情報の送信元ＩＤより、機器ＩＤを特定する（Ｓ５１）。
【０１４８】
次に、情報管理部１３８は、ステップＳ５０で取得した計測情報より相対値を取得する（Ｓ５２）。
【０１４９】
次に、情報管理部１３８は、管理テーブル１３２ａより、機器ＩＤ欄１３２ｂにステップＳ５１で取得した機器ＩＤが格納されているレコードを特定し、特定したレコードの第一閾値欄１３２ｅに格納されている第一閾値を取得し、ステップＳ５２で取得した相対値が、このようにして取得した第一閾値の範囲内であるか否か（ここでは、第一閾値以下であるか否か）を判定する（Ｓ５３）。
【０１５０】
そして、情報管理部１３８は、相対値が第一閾値の範囲内である場合には（ステップＳ５３でＹｅｓ）、ステップＳ５４に進み、相対値が第一閾値の範囲内ではない場合には（ステップＳ５３でＮｏ）、ステップＳ５８に進む。
【０１５１】
ステップＳ５４では、情報管理部１３８は、ステップＳ５１で特定した機器ＩＤに対応して記憶されている蓄積テーブル１３５ａを蓄積情報記憶領域１３５より特定し、特定した蓄積テーブル１３５ａの最下行に新たなレコードを作成し、作成したレコードの番号欄１３５ｂには、上方のレコードから連番となる整数（計測された順番を示す整数）を格納し、計測値欄１３５ｃには、ステップＳ５０で取得した計測情報に含まれている計測値を格納する。
【０１５２】
次に、情報管理部１３８は、ステップＳ５４で作成したレコードの一つ上の行のレコードの計測値欄１３５ｃに格納されている計測値（前回送信されてきた計測情報に含まれていた計測値）に、ステップＳ５２で取得した相対値を加算した加算値が、ステップＳ５４で格納した計測値に一致するか否かで、欠落情報があるか否かを判定する（Ｓ５５）。
【０１５３】
そして、情報管理部１３８は、当該加算値が計測値と一致しない場合には欠落情報があると判断して（ステップＳ５６でＹｅｓ）、ステップＳ５６に進み、当該加算値が計測値と一致する場合には欠落情報はないと判断して（ステップＳ５６でＮｏ）、ステップＳ５７に進む。
【０１５４】
ステップＳ５６では、情報管理部１３８は、ステップＳ５４で計測値欄１３５ｃに格納した計測値（ステップＳ５０で取得した計測情報に含まれる計測値）から、ステップＳ５２で取得した相対値を減算することより欠落した計測値を算出する。そして、情報管理部１３８は、ステップＳ５４で作成したレコードの一つ上の行に新たなレコードを作成し、作成したレコードの番号欄１３５ｂには、上方のレコードから連番となる整数を格納し、計測値欄１３５ｃには、算出した欠落した計測値を格納する（Ｓ５６）。
【０１５５】
なお、情報管理部１３８は、ステップＳ５６において、ステップＳ５４で作成したレコードの番号欄１３５ｂに格納されている整数に「１」をインクリメントする。
【０１５６】
そして、ステップＳ５７では、情報管理部１３８は、次の計測情報が受信されるまで待機する。
【０１５７】
一方、ステップＳ５８では、情報管理部１３８は、ステップＳ５３で特定したレコードの第二閾値欄１３２ｆに格納されている第二閾値を取得し、ステップＳ５０で取得した相対値が、このようにして取得した第二閾値の範囲内であるか否か（ここでは、第二閾値以下であるか否か）を判定する。
【０１５８】
そして、情報管理部１３８は、相対値が第二閾値の範囲内である場合には（ステップＳ５８でＹｅｓ）、ステップＳ５９に進み、相対値が第二閾値の範囲内ではない場合には（ステップＳ５８でＮｏ）、ステップＳ６０に進む。
【０１５９】
ステップＳ５９では、情報管理部１３８は、通知処理部１３９に第一連絡先に通知するように指示を出し、通知処理部１３９は、再度の計測を要求するメッセージを含むメール文書を作成し、ステップＳ５３で特定したレコードの第一連絡先欄１３２ｇに格納されている第一連絡先のメールアドレスに第二通信部１４１を介して送信する処理を行う。
【０１６０】
また、ステップＳ６０では、情報管理部１３８は、通知処理部１３９に第二連絡先に通知するように指示を出し、通知処理部１３９は、利用者テーブル１３４ａより、ステップＳ５１で特定した機器ＩＤが機器ＩＤ欄１３４ｂに格納されているレコードを特定し、当該レコードの氏名欄１３４ｃ、年齢欄１３４ｄ及び住所欄１３４ｅに格納されている情報と、ステップＳ５０で取得した計測情報に含まれる計測値と、を取得し、これらを特定した警告メッセージの音声データを生成して、ステップＳ５３で特定したレコードの第二連絡先欄１３２ｈで特定される第二連絡先に電話をかけて生成した音声データを再生する処理を行う。
【０１６１】
以上のように、本実施形態においては、情報管理サーバ１３０においてヘルスケア機器１１０から送信されてきた計測情報により欠落した計測値を復旧することができるほか、計測値が特定の利用者から計測される値の範囲を超えているような場合には、ヘルスケア機器１１０の利用者に通知を行うことができ、また、ヘルスケア機器１１０の利用者の身体に重大な影響を及ぼすものと思われる計測値が計測された場合には、予め定められた第三者に通知することができる。
【０１６２】
次に、本発明の第二の実施形態について説明する。
【０１６３】
本発明の第二の実施形態は、第一の実施形態と比較して、中継装置２２０及び情報管理サーバ２３０が異なっているため、以下、これらに関連する事項について説明する。
【０１６４】
図１４は、本発明の第二の実施形態における中継装置２２０の概略図である。
【０１６５】
図示するように、中継装置２２０は、記憶部２２１と、制御部２２２と、第一通信部１２４と、第二通信部１２５と、電源供給部１２６と、を備え、第一の実施形態と比較して記憶部２２１及び制御部２２２が異なっているため、以下これらに関連する事項について説明する。
【０１６６】
記憶部２２１は、補正情報記憶領域２２７を備える。
【０１６７】
補正情報記憶領域２２７には、ヘルスケア機器１１０から送信されてくる計測情報に対して補正を行うための情報が記憶される。
【０１６８】
例えば、本実施形態においては、図１５（補正テーブル２２７ａの概略図）に示すような補正テーブル２２７ａが補正情報記憶領域２２７に記憶される。
【０１６９】
補正テーブル２２７ａは、機器ＩＤ欄２２７ｂと、計測値欄２２７ｃと、相対値欄２２７ｄと、補正命令欄２２７ｅと、補正値欄２２７ｆと、を有する。
【０１７０】
機器ＩＤ欄２２７ｂには、各々のヘルスケア機器１１０を識別するための識別情報である機器ＩＤを特定する情報が格納される。
【０１７１】
計測値欄２２７ｃには、機器ＩＤ欄２２７ｂで特定されるヘルスケア機器１１０から送信されてきた計測値を特定する情報が格納される。
【０１７２】
相対値欄２２７ｄには、機器ＩＤ欄２２７ｂで特定されるヘルスケア機器１１０から送信されてきた相対値を特定する情報が格納される。
【０１７３】
補正命令欄２２７ｅには、機器ＩＤ欄２２７ｂで特定されるヘルスケア機器１１０から送信されてきた相対値を補正すべき旨の補正命令を情報管理サーバ１３０から受信したか否かを特定する情報が格納される。
【０１７４】
ここで、本実施形態においては、補正命令欄２２７ｅに「なし」の文字列が格納されている場合には、補正命令を受信していないことを示し、「あり」の文字列が格納されている場合には、補正命令を受信していることを示す。
【０１７５】
補正値欄２２７ｆには、機器ＩＤ欄２２７ｂで特定されるヘルスケア機器１１０から送信されてきた相対値を補正する補正値を特定する情報が格納される。
【０１７６】
制御部２２２は、主要機能部１２３と、補正部２２８と、を備え、第一の実施形態と比較して補正部２２８が異なっているため、以下、補正部２２８に関連する事項について説明する。
【０１７７】
補正部２２８は、中継装置１２０がヘルスケア機器１１０より計測情報を受信すると、受信した計測情報の送信元ＩＤよりヘルスケア機器１１０の機器ＩＤを取得する。
【０１７８】
そして、補正部２２８は、補正テーブル２２７ａの機器ＩＤ欄２２７ｂに取得した機器ＩＤが格納されているレコードを特定し、特定したレコードの計測値欄２２７ｃ及び相対値欄２２７ｄに、受信した計測情報に含まれている計測値及び相対値を特定する情報を格納する。
【０１７９】
なお、補正部２２８は、補正テーブル２２７ａの機器ＩＤ欄２２７ｂに取得した機器ＩＤが格納されているレコードがない場合には、補正テーブル２２７ａに新たなレコードを作成し、作成したレコードの機器ＩＤ欄２２７ｂ、計測値欄２２７ｃ及び相対値欄２２７ｄには、受信した計測情報に含まれている機器ＩＤ、計測値及び相対値をそれぞれ格納する。そして、補正部２２８は、新たに作成したレコードの補正命令欄２２７ｅには「なし」の文字列を、補正値欄２２７ｆには「−」の記号を格納する。
【０１８０】
また、補正部２２８は、中継装置１２０がヘルスケア機器１１０より計測情報を受信した際に、受信した計測情報に含まれている機器ＩＤが、補正テーブル２２７ａの機器ＩＤ欄２２７ｂに格納されているレコードを特定し、特定したレコードの補正命令欄２２７ｅに「あり」の文字列が格納されている場合には、計測情報に含まれている相対値に、補正値欄２２７ｆで特定される補正値を加算することで相対値を補正し、計測情報に含まれている相対値の替わりに、補正した相対値を計測情報に格納する。
【０１８１】
そして、補正部２２８は、相対値を補正した場合には、補正に使用した補正値が格納されていたレコードの補正値欄２２７ｆを「−」に更新するとともに、補正値欄２２７ｆを「なし」に更新する。
【０１８２】
さらに、補正部２２８は、情報管理サーバ２３０より補正命令を受信した場合には、補正テーブル２２７ａの機器ＩＤ欄２２７ｂに、補正命令に含まれる機器ＩＤが格納されているレコードを特定し、特定したレコードの補正命令欄２２７ｅに「あり」の文字列を格納し、補正値欄２２７ｆに補正命令に含まれる補正値を特定する情報を格納する。
【０１８３】
図１６は、本発明の第二の実施形態における情報管理サーバ２３０の概略図である。
【０１８４】
図示するように、情報管理サーバ２３０は、記憶部１３１と、制御部２３６と、第一通信部１４０と、第二通信部１４１と、を備え、第一の実施形態と比較して制御部２３６が異なっているため、以下、制御部２３６に関連する事項について説明する。
【０１８５】
本実施形態における制御部２３６は、全体制御部１３７と、情報管理部２３８と、通知処理部１３９と、補正処理部２４３と、を備え、第一の実施形態と比較して、情報管理部２３８及び補正処理部２４３が異なっているため、以下、これらに関連する事項について説明する。
【０１８６】
情報管理部２３８は、記憶部１３１に記憶される情報を管理する。
【０１８７】
ここで、本実施形態においては、第一の実施形態とは異なり、情報管理部２３８は、ヘルスケア機器１１０から送信されてきた相対値が第一閾値の範囲を超えている場合には、蓄積情報記憶領域１３５に記憶されている蓄積テーブル１３５ａの更新を行わずに、次の計測情報を受信するまで待機する。
【０１８８】
補正処理部２４３は、ヘルスケア機器１１０から送信されてきた相対値が第一閾値の範囲を超えている場合には、送信されてきた相対値を補正値として、第一通信部１４２を介して、中継装置１２０に補正命令を送信する処理を行う。
【０１８９】
例えば、図１７は、補正命令の概略図である。
【０１９０】
ここで、図１７に示されているように、補正命令は、宛先である中継装置２２０を識別するための識別情報である中継装置ＩＤと、ヘルスケア機器１１０を識別するための識別情報である機器ＩＤと、補正命令であることを識別するための識別情報と、相対値を補正するための補正値と、が含まれる。
【０１９１】
図１８は、ヘルスケア機器１１０より情報管理サーバ２３０に計測情報を送信する処理を示すシーケンスである。
【０１９２】
まず、ヘルスケア機器１１０の主要機能部１１２は、センシングを行い、計測値を取得する（Ｓ７０）。
【０１９３】
次に、主要機能部１１２は、記憶部１１３に記憶されている計測値（前回のセンシングで計測された計測値）を取得し、ステップＳ７０で取得した計測値から記憶部１１３に記憶されている計測値を差し引くことで、相対値を算出する（Ｓ７１）。
【０１９４】
次に、主要機能部１１２は、記憶部１１３にステップＳ７０で取得した計測値を記憶する（Ｓ７２）。
【０１９５】
そして、主要機能部１１２は、宛先である情報管理サーバ２３０を識別するための識別情報である情報管理サーバＩＤ（宛先ＩＤ）と、送信元であるヘルスケア機器１１０を識別するための識別情報である機器ＩＤ（送信元ＩＤ）と、ステップＳ７０で取得した計測値と、ステップＳ７１で算出した相対値と、をペイロード部分に含むＩＰパケット（図４（Ａ）参照）を生成し（Ｓ７３）、通信部１１４を介して、計測情報として情報管理サーバ２３０に送信する（Ｓ７４）。
【０１９６】
中継装置２２０は、第一通信部１２４を介して、計測情報を受信する（Ｓ７５）。
【０１９７】
そして、中継装置２２０の補正部２２８は、受信した計測情報の送信元ＩＤよりヘルスケア機器１１０の機器ＩＤを取得し、補正テーブル２２７ａの機器ＩＤ欄２２７ｂに取得した機器ＩＤが格納されているレコードを特定し、特定したレコードの計測値欄２２７ｃ及び相対値欄２２７ｄに、受信した計測情報に含まれている計測値及び相対値を特定する情報を格納する（Ｓ７６）。
【０１９８】
次に、中継装置２２０の主要機能部１２３は、受信した計測情報のペイロード部分に中継装置１２０を識別するための中継装置ＩＤを追加し（図４（Ｂ）参照）、補正部２２８は、ステップＳ７６で特定したレコードの補正命令欄２２７ｅに「あり」の文字列が格納されている場合には、計測情報に含まれている相対値に、補正値欄２２７ｆで特定される補正値を加算することで相対値を補正し、計測情報に含まれている相対値の替わりに、補正した相対値を計測情報に格納することで（補正命令欄２２７ｅに「あり」の文字列が格納されている場合には、相対値の補正は行わない）、計測情報を変更する（Ｓ７７）。
【０１９９】
なお、補正部２２８は、相対値を補正した場合には、補正テーブル２２７ａにおいて、補正に使用した補正値が格納されていたレコードの補正値欄２２７ｆを「−」に更新するとともに、補正命令欄２２７ｅを「なし」に更新する。
【０２００】
そして、中継装置２２０の主要機能部１２３は、変更した計測情報を、第二通信部１２５を介して、情報管理サーバ２３０に送信する（Ｓ７８）。
【０２０１】
情報管理サーバ２３０では、第一通信部１４０を介して、計測情報を受信し（Ｓ７９）、情報管理部２３８が受信した計測情報の解析処理を行う（Ｓ８０）。なお、ステップＳ８０での解析処理については、図１９を用いて詳細に説明する。
【０２０２】
そして、情報管理サーバ２３０の補正処理部２４３は、ステップＳ８０での解析処理において、情報管理部２３８より補正命令の送信指示を受けた場合には、宛先である中継装置２２０を識別するための識別情報である中継装置ＩＤと、ヘルスケア機器１１０を識別するための識別情報である機器ＩＤと、補正命令であることを識別するための識別情報と、相対値を補正するための補正値と、が含まれる補正命令を生成して、第一通信部１４２を介して、中継装置２２０に送信する（Ｓ８１）。
【０２０３】
このような補正命令を受信した中継装置２２０では、補正部２２８が、補正テーブル２２７ａより、補正テーブル２２７ａの機器ＩＤ欄２２７ｂに、補正命令に含まれる機器ＩＤが格納されているレコードを特定し、特定したレコードの補正命令欄２２７ｅに「あり」の文字列を格納し、補正値欄２２７ｆに補正命令に含まれる補正値を特定する情報を格納する（Ｓ８２）。
【０２０４】
図１９は、計測情報の解析処理を示すフローチャートである。
【０２０５】
まず、情報管理部２３８は、第一通信部１４０を介して受信した計測情報を取得する（Ｓ９０）。
【０２０６】
次に、情報管理部２３８は、ステップＳ９０で取得した計測情報の送信元ＩＤより、機器ＩＤを特定する（Ｓ９１）。
【０２０７】
次に、情報管理部２３８は、ステップＳ９０で取得した計測情報より相対値を取得する（Ｓ９２）。
【０２０８】
次に、情報管理部２３８は、管理テーブル１３２ａより、機器ＩＤ欄１３２ｂにステップＳ９１で取得した機器ＩＤが格納されているレコードを特定し、特定したレコードの第一閾値欄１３２ｅに格納されている第一閾値を取得し、ステップＳ９０で取得した相対値が、このようにして取得した第一閾値の範囲内であるか否かを判定する（Ｓ９３）。
【０２０９】
そして、情報管理部２３８は、相対値が第一閾値の範囲内である場合には（ステップＳ９３でＹｅｓ）、ステップＳ９４に進み、相対値が第一閾値の範囲内ではない場合には（ステップＳ９３でＮｏ）、ステップＳ９８に進む。
【０２１０】
ステップＳ９４では、情報管理部２３８は、ステップＳ９１で特定した機器ＩＤに対応して記憶されている蓄積テーブル１３５ａを蓄積情報記憶領域１３５より特定し、特定した蓄積テーブル１３５ａの最下行に新たなレコードを作成し、作成したレコードの番号欄１３５ｂには、上方のレコードから連番となる整数（計測された順番を示す整数）を格納し、計測値欄１３５ｃには、ステップＳ９０で取得した計測情報に含まれている計測値を格納する。
【０２１１】
次に、情報管理部２３８は、ステップＳ９４で作成したレコードの一つ上の行のレコードの計測値欄１３５ｃに格納されている計測値に、ステップＳ９２で取得した相対値を加算した加算値が、ステップＳ９４で格納した計測値に一致するか否かで、欠落情報があるか否かを判定する（Ｓ９５）。
【０２１２】
そして、情報管理部２３８は、当該加算値が計測値と一致しない場合には欠落情報があると判断して（ステップＳ９６でＹｅｓ）、ステップＳ９６に進み、当該加算値が計測値と一致する場合には欠落情報はないと判断して（ステップＳ９６でＮｏ）、ステップＳ９７に進む。
【０２１３】
ステップＳ９６では、情報管理部２３８は、ステップＳ９４で計測値欄１３５ｃに格納した計測値（ステップＳ９０で取得した計測情報に含まれる計測値）から、ステップＳ９２で取得した相対値を減算することより欠落した計測値を算出する。そして、情報管理部２３８は、ステップＳ９４で作成したレコードの一つ上の行に新たなレコードを作成し、作成したレコードの番号欄１３５ｂには、情報のレコードから連番となる整数を格納し、計測値欄１３５ｃには、算出した欠落した計測値を格納する（Ｓ９６）。
【０２１４】
なお、情報管理部２３８は、ステップＳ９６において、ステップＳ９４で作成したレコードの番号欄１３５ｂに格納されている整数に「１」をインクリメントする。
【０２１５】
そして、ステップＳ９７では、情報管理部２３８は、次の計測情報が受信されるまで待機する。
【０２１６】
一方、ステップＳ９８では、情報管理部２３８は、ステップＳ９３で特定したレコードの第二閾値欄１３２ｆに格納されている第二閾値を取得し、ステップＳ９０で取得した相対値が、このようにして取得した第二閾値の範囲内であるか否かを判定する。
【０２１７】
そして、情報管理部２３８は、相対値が第二閾値の範囲内である場合には（ステップＳ９８でＹｅｓ）、ステップＳ９９に進み、相対値が第二閾値の範囲内ではない場合には（ステップＳ９８でＮｏ）、ステップＳ１０１に進む。
【０２１８】
ステップＳ９９では、情報管理部２３８は、通知処理部１３９に第一連絡先に通知するように指示を出し、通知処理部１３９は、再度の計測を要求するメッセージを含むメール文書を作成し、ステップＳ９３で特定したレコードの第一連絡先欄１３２ｇに格納されている第一連絡先のメールアドレスに第二通信部１４１を介して送信する処理を行う。
【０２１９】
そして、情報管理部２３８は、ステップＳ９１で特定した機器ＩＤと、ステップＳ９２で取得した相対値と、ステップＳ９０で取得した計測情報に含まれる中継装置ＩＤと、を補正処理部２４３に出力し、補正処理部２４３に補正命令を送信するよう指示を出す（Ｓ１００）。
【０２２０】
そして、情報管理部２３８は、ステップＳ１００の後（即ち、蓄積テーブル１３５ａの更新を行うことなく）、ステップＳ９７に進み、次の計測情報を受信するまで待機する。
【０２２１】
また、ステップＳ１０１では、情報管理部２３８は、通知処理部１３９に第二連絡先に通知するように指示を出し、通知処理部１３９は、利用者テーブル１３４ａより、ステップＳ９１で特定した機器ＩＤが機器ＩＤ欄１３４ｂに格納されているレコードを特定し、当該レコードの氏名欄１３４ｃ、年齢欄１３４ｄ及び住所欄１３４ｅに格納されている情報と、ステップＳ５０で取得した計測情報に含まれる計測値と、を取得し、これらを特定した警告メッセージの音声データを生成して、ステップＳ９３で特定したレコードの第二連絡先欄１３２ｈで特定される第二連絡先に電話をかけて生成した音声データを再生する処理を行い、ステップＳ９４に進む。
【０２２２】
以上のように、本実施形態においては、第一の実施形態と同様の効果を得られるほか、ヘルスケア機器１１０で計測された計測値が、他人のものであったり、計測ミスであったりしたような場合に、このような計測値は、蓄積テーブル１３５ａには登録しないようにすることができる。このような場合でも、中継装置１２０において、計測情報が補正されるため、以降の計測情報においても欠落した計測値を復帰することができるようになる。
【０２２３】
なお、第二の実施形態においては、中継装置２２０において、相対値の補正を行うようにしているが、このような態様に限定されず、例えば、ヘルスケア機器１１０において、相対値を補正するようにすることも可能である。このような場合には、中継装置２２０における補正部２２８をヘルスケア機器１１０の主要機能部１１２に設け、中継装置２２０における記憶部２２１の補正情報記憶領域２２７をヘルスケア機器１１０の記憶部１１３に設ければよい。
【図面の簡単な説明】
【０２２４】
【図１】通信システムの概略図。
【図２】ヘルスケア機器の概略図。
【図３】中継装置の概略図。
【図４】計測情報の概略図。
【図５】情報管理サーバの概略図。
【図６】管理テーブルの概略図。
【図７】閾値テーブルの概略図。
【図８】利用者テーブルの概略図。
【図９】蓄積テーブルの概略図。
【図１０】コンピュータの概略図。
【図１１】利用者に関連する情報を登録する処理を示すシーケンス。
【図１２】計測情報を送信する処理を示すシーケンス。
【図１３】計測情報の解析処理を示すフローチャート。
【図１４】中継装置の概略図。
【図１５】補正テーブルの概略図。
【図１６】情報管理サーバの概略図。
【図１７】補正命令の概略図。
【図１８】計測情報を送信する処理を示すシーケンス。
【図１９】計測情報の解析処理を示すフローチャート。
【符号の説明】
【０２２５】
１００  通信システム
１１０  ヘルスケア機器
１２０、２２０  中継装置
１２１、２２１  記憶部
２２７  補正情報記憶領域
１２２  制御部
１２３  主要機能部
２２８  補正部
１２４  第一通信部
１２５  第二通信部
１２６  電源供給部
１３０、２３０  情報管理サーバ
１３１  記憶部
１３２  管理情報記憶領域
１３３  閾値情報記憶領域
１３４  利用者情報記憶領域
１３５  蓄積情報記憶領域
１３６  制御部
１３７  全体制御部
１３８、２３８  情報管理部
１３９  通知処理部
２４３  補正処理部
１４０  第一通信部
１４１  第二通信部
【図１】
2010022520.tif 000003
【図２】
2010022520.tif 000004
【図３】
2010022520.tif 000005
【図４】
2010022520.tif 000006
【図５】
2010022520.tif 000007
【図６】
2010022520.tif 000008
【図７】
2010022520.tif 000009
【図８】
2010022520.tif 000010
【図９】
2010022520.tif 000011
【図１０】
2010022520.tif 000012
【図１１】
2010022520.tif 000013
【図１２】
2010022520.tif 000014
【図１３】
2010022520.tif 000015
【図１４】
2010022520.tif 000016
【図１５】
2010022520.tif 000017
【図１６】
2010022520.tif 000018
【図１７】
2010022520.tif 000019
【図１８】
2010022520.tif 000020
【図１９】
2010022520.tif 000021